(57)【要約】【課題】本発明は、盗難防止対象の装置を固定する盗難防止装置に関し、盗難防止対象の装置を床に設置された固定用座板に載せた状態で、装置の前面および若干の側面を覆う被覆板を設けた挿入機構を前記固定座板に挿入し、背面に設けた被覆板ロック機構で固定し、盗難防止対象の装置の前面や隙間を覆って破壊による盗難防止を図ると共に設置、移設を簡易に実現することを目的とする。【解決手段】盗難防止対象の装置を載せる固定用座板と、装置の前面および若干の側面を覆う被覆板を設けた挿入機構と、挿入機構が前記固定用座板の挿入受けに挿入されたときにロックして固定する、固定用座板の背面側に設けたロック機構とを備えた盗難防止装置である。【選択図】　図１
2004054578.tif 000002
【特許請求の範囲】
【請求項１】
盗難防止対象の装置を固定する盗難防止装置において、
盗難防止対象の装置を載せる固定用座板と、
前記装置の前面および若干の側面を覆う被覆板を設けた挿入機構と、
前記挿入機構が前記固定用座板の挿入受けに挿入されたときにロックして固定する、前記固定用座板の背面側に設けたロック機構と
を備えた盗難防止装置。
【請求項２】
前記固定用座板の一部を床面の穴に挿入して重量で固定あるいは前記固定用座板を床面にロックボルトで固定したことを特徴とする請求項１記載の盗難防止装置。
【請求項３】
前記固定用座板に、前記挿入機構をスライドさせて挿入させる機構を設けたことを特徴とする請求項１あるいは請求項２記載の盗難防止装置。
【請求項４】
前記固定用座板の高さを調整するアジャスタを設けたことを特徴とする請求項１から請求項３のいずれかに記載の盗難防止装置。
【請求項５】
前記装置の前面および側面の隙間、鍵穴を覆った前記被覆板としたことを特徴とする請求項１から請求項４のいずれかに記載の盗難防止装置。
【請求項６】
前記ロック機構を解除する機構を、前記装置から離れた場所に設けたセキュリティルームに設けたことを特徴とする請求項１から請求項５のいずれかに記載の盗難防止装置。
【請求項７】
前記ロック機構を解除する機構に、ケーブルあるいは解除信号を送受信する信号線を接続して前記セキュリティルームの解除機構に接続したことを特徴とする請求項６記載の盗難防止装置。
【請求項８】
前記ロック機構および解除する機構へのケーブルあるいは信号線を見えないように覆ったことを特徴とする請求項６あるいは請求項７記載の盗難防止装置。
【発明の詳細な説明】
【０００１】
【発明の属する技術分野】
本発明は、盗難防止対象の装置を固定する盗難防止装置に関するものである。
【０００２】
【従来の技術】
従来、金融機関などが設置する現金自動取引装置（ＡＴＭなど）は、装置のベースを床にボルトで固定し当該ベースの上に設置し、前面部に内部の点検用に扉にして鍵を設けて施錠していた。この際、側面や前面を壊して内部に保管してある現金などの物品が持ち去られないように強固にしていた。
【０００３】
【発明が解決しようとする課題】
このため、装置の全体の重量が重くなってしまい、専門業者でないと設置したり、取り外したり、移設したりできないと共に、手間が非常に多く必要となってしまうという問題があった。
【０００４】
また、装置の前面あるいは背面に扉を持つ構造となり、当該扉と本体との間に隙間でき、当該隙間に工具などを挿入して破壊され易い構造となってしまう問題があった。
【０００５】
また、扉に鍵を設ける必要があったため、当該鍵の穴の部分が破壊され易い構造となってしまう問題もあった。
【０００６】
また、装置を床に固定していたため、新規設置時や移設時に取り扱いが大変であるという問題もあった。
【０００７】
本発明は、これらの問題を解決するため、盗難防止対象の装置を床に設置された固定用座板に載せた状態で、装置の前面および若干の側面を覆う被覆板を設けた挿入機構を前記固定用座板に挿入し、背面に設けた被覆板ロック機構で固定し、盗難防止対象の装置の前面や隙間を覆って破壊による盗難防止を図ると共に組立、設置、移設を簡易に実現することを目的としている。
【０００８】
【課題を解決するための手段】
図１を参照して課題を解決するための手段を説明する。
【０００９】
図１において、装置１２は、盗難防止対象の装置（例えばＡＴＭ）である。
被覆板１は、装置１２の前面および側面の一部を覆うものである。
【００１０】
挿入機構２は、被覆板１に連結して固定用座板３の挿入受け部５に挿入してロックするためのものである。
【００１１】
固定用座板３は、固定部６で床に固定および被覆板ロック機構４で挿入機構２を固定するためのものである。
【００１２】
被覆板ロック機構４は、被覆板１を連結した挿入機構２が挿入受け部５に挿入されたときにロックして固定するものである。
【００１３】
挿入受け部５は、固定用座板３に連結し、挿入機構２が挿入される受け部である。
【００１４】
固定部６は、固定用座板３に連結して床に固定するものである。
被覆板ロック解除機構７は、被覆板ロック機構４が挿入機構２をロックした状態で、解除するものであって、セキュリティのある部屋に設けたものである。
【００１５】
次に、装置１２を設置するときの手順を説明する。
固定用座板３に連結した固定部６を床に固定し、当該固定した固定用座板３の上に盗難防止対象の装置１２を載せ、被覆板１の連結した挿入機構２を挿入受け部５に挿入し、被覆板ロック機構４でロックして固定する。これにより、装置１２は、前面および前面から若干の側面が覆われて前面などの扉の隙間や、鍵穴を全て覆い、盗難防止を図ることが可能となる。
【００１６】
この際、固定用座板３の固定部６あるいは固定部６の穴を介して装置１２のアジャスタボルトを床面の穴に挿入して重量で固定あるいは固定用座板の固定部６を床面にロックボルトで固定するようにしている。
【００１７】
また、固定用座板３に、挿入機構２をスライドさせて挿入させる挿入受け部５を設けるようにしている。
【００１８】
また、固定用座板３あるいは装置１２の高さを調整するアジャスタを設けるようにしている。
【００１９】
また、装置１２の前面および側面の隙間、鍵穴を覆った被覆板１で完全に覆うようにしている。
【００２０】
また、ロック機構を解除する被覆板ロック解除機構７を、装置１２から離れた場所に設けたセキュリティルームに設けるようにしている。
【００２１】
また、ロック機構を解除す被覆板ロック解除機構７に、ケーブルあるいは解除信号を送受信する信号線を接続してセキュリティルームの解除機構に接続するようにしている。
【００２２】
また、ロック機構および解除する機構へのケーブルあるいは信号線を見えないように覆うようにしている。
【００２３】
従って、盗難防止対象の装置１２を床に設置された固定用座板３に載せた状態で、装置１２の前面および若干の側面を覆う被覆板１を設けた挿入機構２を固定用座板３に挿入し、背面に設けた被覆板ロック機構４で固定することにより、盗難防止対象の装置１２の前面や隙間を覆って破壊による盗難防止を図ると共に組立、設置、移設を簡易に実現することが可能となる。
【００２４】
【発明の実施の形態】
次に、図１から図６を用いて本発明の実施の形態および動作を順次詳細に説明する。
【００２５】
図１は、本発明の１実施例構成図を示す。
図１において、被覆板１は、盗難防止対象の装置１２の前面、その鍵穴および側面の扉の隙間などを覆うものであって、挿入機構２に連結されている。
【００２６】
挿入機構２は、被覆板１に連結して固定用座板３の挿入受け部５に挿入してロックし、固定用座板３の上に載せられた装置１２を固定したり、移設時には別室のセキュリティ室に設けた被覆板ロック解除機構７を操作して被覆板ロック機構４のロックを解除して挿入機構２を引き出し、固定用座板３の上に載せられている装置１２を取り出して他の場所に搬送したりなどするためのものである。
【００２７】
固定用座板３は、連結した固定部６で床に固定および連結した被覆板ロック機構４で挿入機構２を固定し、当該固定用座板３の上に装置１２を載せるためのものである。
【００２８】
被覆板ロック機構４は、被覆板１を連結した挿入機構２が挿入受け部５に挿入されたときにロックして固定するものである。
【００２９】
挿入受け部５は、固定用座板３に連結し、挿入機構２が挿入される受け部である。
【００３０】
固定部６は、固定用座板３に連結して床に固定するものである。
被覆板ロック解除機構７は、被覆板ロック機構４が挿入機構２をロックした状態で、解除するものであって、セキュリティのある部屋に設けたものである。
【００３１】
被覆板ロック解除機構７は、被覆板ロック機構４のロックを解除する機構であって、当該被覆ロック機構４とケーブルで接続したり、信号線で接続したり、被覆板ロック機構４のロックを解除するものである。
【００３２】
ロック検知機構８は、被覆板ロック機構４に設け、挿入機構５が挿入受け部５に挿入されて当該被覆板ロック機構４によってロックされた状態を検知するものである（図４から図６を用いて後述する）。
【００３３】
ロック表示機能９は、ロック検知機構８で被覆板ロック機構４が挿入機構２を完全にロックし、ロック検知機構８により当該ロックが検知されたときに、ロックされた旨を表示する機能（例えばランプ、所定の色の板を表示）したりするものである（図６を用いて後述する）。
【００３４】
レベルフット受部１０は、装置１２のレベルフット（レベルアジャスタ）を受ける、穴の空いた部分である。
【００３５】
車輪位置１１は、装置１２を固定用座板３に載せた、該当位置に止めたときの当該装置１２の搬送用の車輪の位置である。
【００３６】
次に、図２のフローチャートの順番に従い、図１の構成のもとで、盗難防止対象の装置１２を設置するときの手順を詳細に説明する。
【００３７】
図２は、本発明の盗難防止装置の組み立て手順例を示す。
図２において、Ｓ１は、▲３▼固定用座板および▲４▼被覆板ロック機構を設置する。これは、図１の固定用座板３および被覆板ロック機構４を図示のように設置、即ち、点線で示す盗難防止対象の装置１２がほぼ丁度挿入できる程度の場所（装置１２の幅と奥行きと高さの丁度入る程度の窪み）に固定用座板３および被覆板ロック機構４を図示のように設置して床に固定する。この際、設置としては、
・固定用座板３と被覆板ロック機構４を床に置く（この場合には、装置１２を当該固定用座板３の部分に載せたときに当該装置１２の下部に取り付けたレベルアジャスタを固定用座板３の固定部６に設けた穴を貫通して床に接地させて当該装置１２の重量で床に固定する）。
【００３８】
・固定用座板３をアンカーボルトで床に固定（この場合には、固定用座板３に連結した固定部６の穴をアンカーボルトで床の穴に固定する）。
【００３９】
Ｓ２は、▲１▼被覆板と▲２▼挿入機構を組み立てる。これは、図１の被覆板１および挿入機構２を図示のように組み立てる。
【００４０】
Ｓ３は、盗難防止対象の装置１２を▲３▼固定用座板に載せる。これは、図１で点線で記載した盗難防止対象の装置１２を図示のように、ここでは、右側を前面にして固定用座板３に載せる。ここで、装置１２を固定用座板３に載せる方法として、
・装置１２を固定用座板３に載せる。
【００４１】
・装置１２の下部に設けたレベルフット（レベルアジャスタ）で床に直接に設置する。
【００４２】
Ｓ４は、▲２▼を▲３▼に挿入して固定する。これは、図１で、Ｓ２で組み立てた挿入機構２を、固定用座板３の挿入受け部５に奥まで挿入して被覆板ロック機構４により当該挿入機構２をロックして固定する。
【００４３】
Ｓ５は、ロックされているか判別する。これは、図１のロック検知機構８により被覆板ロック機構４によって挿入機構２が完全にロックされたことが検出されたかを判別する（ロック表示機能９にロック表示されているか判別する）。ＹＥＳの場合には、ロックが完全にされていることが確認できたので、装置１２の設置作業を終了する。一方、ＮＯの場合には、Ｓ４、Ｓ５を繰り返し、ロック確認できるようにする。
【００４４】
以上のように、作業者は図１に示すように、固定用座板３と被覆板ロック機構４を設置および被覆板１と挿入機構２を組み立て、盗難防止対象の装置１２を固定用座板３に載せ、組み立てた挿入機構２を固定用座板３の挿入受け部５に完全に奥まで挿入し、ロック検知機構８によりロックがされていることが確認されたときに一連の設置作業を終了する。これにより、簡易な作業で盗難防止対象の装置１２を新規設置したり、移設したりでき、しかも、被覆板１で装置１２の前面の鍵穴および側面の扉の隙間部分などを完全に覆い、盗難防止を図ることが可能となる。以下順次詳細に説明する。
【００４５】
図３は、本発明の盗難防止対象の装置の完成図を示す。
図３の（ａ）は、全体の斜視図を示す。盗難防止対象の装置１２は、図示外の固定用座板３の上に載せられ、被覆板１とこれに連結した挿入機構２を当該図示外の固定用座板３の挿入受け部５に挿入し、被覆板ロック機構４にてロックしたものである。
【００４６】
図３の（ｂ）は、セキュリティのある別室に設けたロック表示機能９および被覆板ロック解除機構７の例を示す。
【００４７】
図３に（ｂ）において、ロック表示機能９は、後述する図３の（ｃ）の詳細図面中のロック検知機構８でロック状態が検知されたときに、当該ロック検知した旨を表示する機能であって、例えばロック検知機能８がマイクロスイッチの場合には当該マイクロスイッチでロック状態が検知されたときに通電された電気によりランプを点灯してロック状態を表示したりなどするものである。
【００４８】
被覆板ロック解除機構７は、被覆板ロック機構４に接続し、ケーブルあるいは信号線を接続し、当該ケーブルを駆動し、あるいは信号線に信号を送出し、ロックを解除するものである。
【００４９】
以上のロック表示機能９および被覆板ロック解除機構７をセキュリティのある別室に設けたため、盗難防止対象の装置１２の前面などからこれらが全く見えず、その存在を知られず、盗難防止を強化することが可能となる。
【００５０】
図３の（ｃ）は、詳細を示す。これは、図３の（ａ）の挿入機構２、被覆板ロック機構４およびロック検知機構８の詳細例を示す。
【００５１】
図３の（ｃ）において、挿入機構２は、図１の挿入機構２の先端部分であって、被覆板ロック機構４にロックして固定するためのものである。
【００５２】
被覆板ロック機構４は、ここでは、先端に鍵状でロック、解除可能な機構があり、該鍵で被覆板１に連結した挿入機構２の先端のピンを引っ掛けて完全に外れないようにロック（固定）するものである。ロックされた状態で、更に、ピン１４が当該鍵が絶対に外れないようにロックすると共に、ロックされた状態を、ロック検知機構８が検知してセキュリティの別室にある図３の（ｂ）のロック表示機能９にロックされた旨を表示するようにしている。鍵を解除するときは、セキュリティのある別室に設けた図３の（ｂ）の被覆板ロック解除機構７を回転させて解除の位置にすると、ケーブルによって伝達された駆動力あるいは信号線を介した信号でモータなどを駆動し、ピン１４を解除の方向に移動させた後、被覆板ロック機構４の鍵部分を解除方向に移動させ、鍵が解除され、これにより、挿入機構２が被覆板１と一緒に引き出され、盗難防止対象の装置１２を引き出したりして修理あるいは移設したりなどすることが可能となる。
【００５３】
図４は、本発明の被覆板ロック機構の例（電磁ロック）を示す。これは、既述した被覆板ロック機構４について、電気信号でロック解除できるようにしたものである。
【００５４】
図４において、電磁ロック機構２１は、既述した図３の（ｂ）のセキュリティのある別室の被覆板ロック解除機構７を解除の位置に移動させると、開信号が供給されてスナッチロック部２２を図では上方向に移動させ、先端の鍵部が挿入機構の鍵受け部から外れてロックを解除するためのものである。
【００５５】
スナッチロック部２２は、支点を中心にして図の右下に鍵部があり、被覆板１に連結した挿入機構２の先端に設けた鍵受け部に合致してロックするように構成され、支点を中心にして図の左側には通常はスプリングで下方向に引っ張られて鍵がロックされる方向に力がかけられ、電磁ロック機構２１に開信号が入力されると電磁力により当該スナッチロック部の支点の左側が上方向にスプリングに力に対抗して移動させ、支点の右側の鍵部を解除状態にするものである。
【００５６】
マイクロスイッチ２３は、スナッチロック部２２の鍵がロック状態になったことを検知してセット信号を出力し、既述した図３の（ｂ）のロック表示機能９を点灯させて、鍵がロックされた旨を表示するためのものである。
【００５７】
図５は、本発明の被覆板ロック機構の例（モータ）を示す。これは、既述した図４の電磁ロック機構２１の代わりに、モータ駆動部２４を設けた例を示す。ここで、モータ駆動部２４は、開信号が入力されるとモータの回転を減速して図示のワイヤを右方向に巻き込み、当該ワイヤに接続されたスナッチロック部２２の支点の左側を上方向にスプリングの力に抗して移動させ、支点の右側の鍵部を挿入機構２の鍵受け部から外してロックを解除する。逆に、閉信号が入力されるとモータの回転を減速して図示のワイヤを左方向に繰り出し、当該ワイヤに接続されたスナッチロック部２２の支点の左側の下方向に働くスプリングの力で当該下方向に移動させ、支点の右側の鍵部を挿入機構２の鍵受け部にロックできる状態にする。他は、図４と同様であるので、説明を省略する。
【００５８】
図６は、ロック検知／表示例を示す。これは、既述した図４、図５などでマイクロスイッチ２３で鍵のロックを検出し、当該マイクロスイッチ２３に接続された信号線を、セキュリティのある別室に設けたロック表示機能９に接続し、鍵のロック検知状態（セット）および開放検知状態（未セット）を右側に示すように表示するものである。尚、他の電磁ロック機構２１（あるいはモータ駆動部２４）、スナッチロック部２２、マイクロスイッチ２３などは図４、図５と同一であるので、説明を省略する。
【００５９】
【発明の効果】
以上説明したように、本発明によれば、盗難防止対象の装置１２を床に設置された固定用座板３に載せた状態で、装置１２の前面および若干の側面を覆う被覆板１を設けた挿入機構２を固定用座板３に挿入し、背面に設けた被覆板ロック機構４で固定する構成を採用しているため、盗難防止対象の装置１２の前面や隙間を覆って破壊による盗難防止を図ると共に組立、設置、移設を簡易に実現することが可能となる。
【図面の簡単な説明】
【図１】本発明の１実施例構成図である。
【図２】本発明の盗難防止装置の組み立て手順例である。
【図３】本発明の盗難防止対象の装置の完成図である。
【図４】本発明の被覆板ロック機構の例（電磁ロック）である。
【図５】本発明の被覆板ロック機構の例（モータ）である。
【図６】本発明のロック検知／表示例である。
【符号の説明】
１：被覆板
２：挿入機構
３：固定用座板
４：被覆板ロック機構
５：挿入受け部
６：固定部
７：被覆板ロック解除機構
８：ロック検知機構
９：ロック表示機能
１０：レベルフット（レベルアジャスタ）受部
１１：車輪位置
１２：盗難防止対象の装置
１３：ボールキャスタ
１４：ピン
２１：電磁ロック機構
２２：スナッチロック部
２３：マイクロスイッチ
２４：モータ駆動部
【図１】
2004054578.tif 000003
【図２】
2004054578.tif 000004
【図３】
2004054578.tif 000005
【図４】
2004054578.tif 000006
【図５】
2004054578.tif 000007
【図６】
2004054578.tif 000008